(57)【特許請求の範囲】
【請求項１】
吸込口体に接続される第１延長管と、掃除機本体側に接続される第２延長管が、前記第１延長管を前記第２延長管内に挿入して接続するように構成され、前記第１延長管の外周面の口径は長手方向において等しく形成されると共に、前記第１延長管は前記吸込口体側から前記掃除機本体側にかけての肉厚が厚肉から薄肉になるように形成され、前記第１延長管には外周面に長手方向に配列される係止凹部が複数形成され、前記第２延長管には、前記係止凹部の何れかに掛止される係止凸部が形成され、前記係止凸部を前記係止凹部に選択的に係止することにより、前記第２延長管から第１延長管の突出長さを可変とした電気掃除機の延長管であって、前記複数個形成された係止凹部の深さを、前記第１延長管の肉厚の変化にあわせて、前記第１延長管の挿入時の先端部の係止凹部が深く、後端部の係止凹部になるに従って順次浅くなるように形成されていることを特徴とする電気掃除機の延長管。
【発明の詳細な説明】
【０００１】
【発明の属する技術分野】
本発明は、電気掃除機の延長管の発明に関し、更に詳しくは、長さ調整を可能とした延長管のがたつき感を改良した電気掃除機の延長管に関する。
【０００２】
【従来の技術】
従来、電気掃除機としては、空気を吸引する吸引用駆動源並びに集塵バックを内蔵する掃除機本体に、ホースを着脱可能に接続し、このホースの自由端部側に吸引モータの回転量等を選択操作する手元操作部を設け、手元操作部に延長管を介して吸込口体を設けたものが、知られている。
【０００３】
近時では、吸込口体側の第１延長管の後端部を、手元操作部側の第２延長管の内に出入調整可能に保持させた延長管も市販されるようになってきた。
【０００４】
このようなテレスコピック形式の延長管は、第１延長管の第２延長管側の端部を、第２延長管の端部に差し込むようになっている。そして、第１延長管の外周面には、長さ調整用の係止凹部が複数個一列に形成され、第２延長管の内周面に係止凹部に出入する係止ボタンが揺動可能に設けられている。
【０００５】
第２延長管の内壁面にはシールリングが配設され、シールリングにより、第１延長管の外周面と第２延長管の内周面との隙間から空気が進入して、延長管内部の負圧が弱まることを防止するようになっている。
【０００６】
【発明が解決しようとする課題】
しかしながら、従来のものでは、以下の理由により、第１延長管が第２延長管から大きく突出した状態の時に両者間のがたつきが大きくなり、外れる懸念があるという問題があった。
【０００７】
第１に、第１延長管が第２延長管から大きく突出した状態では、第１延長管の外周面と第２延長管の内周面との重なり合う長さが短いためがたつきが大きくなるものである。
【０００８】
第２に第２延長管を成形した場合に、抜き勾配が形成されて、第２延長管の内周面は第１延長管側が径大となる。従って、第１延長管の第２延長管からの突出量が小さい状態では第１延長管の端部は、第２延長管の内径の小さい位置にあるが、突出量が大きい状態では、第１延長管の端部は第２延長管の内径の大きい位置にあることになる。
【０００９】
このため、第１延長管を第２延長管から大きく突出させた状態では、両者の隙間が大きくなるため、がたつきも大きくなるものである。
【００１０】
なお、第２延長管の抜き勾配を反対とすると、組み立てる場合に第１延長管を第２延長管に挿入しずらくなってしまう。
【００１１】
本発明は、このような問題に着目してなされたものであり、第１延長管と第２延長管とを長さ調整可能に接続した電気掃除機の延長管において、第１延長管と第２延長管との外れを防止する電気掃除機の延長管を提供することを目的とする。
【００１２】
【課題を解決するための手段】
上記課題を解決するために、本願の請求項１にかかる電気掃除機の延長管は、吸込口体に接続される第１延長管と、掃除機本体側に接続される第２延長管が、前記第１延長管を前記第２延長管内に挿入して接続するように構成され、前記第１延長管の外周面の口径は長手方向において等しく形成されると共に、前記第１延長管は前記吸込口体側から前記掃除機本体側にかけての肉厚が厚肉から薄肉になるように形成され、前記第１延長管には外周面に長手方向に配列される係止凹部が複数形成され、前記第２延長管には、前記係止凹部の何れかに掛止される係止凸部が形成され、前記係止凸部を前記係止凹部に選択的に係止することにより、前記第２延長管から第１延長管の突出長さを可変とした電気掃除機の延長管であって、前記複数個形成された係止凹部の深さを、前記第１延長管の肉厚の変化にあわせて、前記第１延長管の挿入時の先端部の係止凹部が深く、後端部の係止凹部になるに従って順次浅くなるように形成されていることを特徴とする。
【００１３】
【発明の実施の形態】
次に，本発明の好ましい実施形態にかかる電気掃除機の延長管を図面に基づいて説明する。
【００１４】
図１は、本発明の実施の形態にかかる電気掃除機の第１延長管の接続管及び第２延長管の接続状態を示す。
【００１５】
図１において、１は接続管部３を有する第１延長管、２は第２延長管、４Ａ〜４Ｆは接続管部３に形成された係止凹部、５は第２延長管２の係止凸部である。
【００１６】
第１延長管１は図１の右側に延びる筒型断面形状を有しており、第１延長管１の左端には吸込口体（図示せず）が接続される。第１延長管１の左端には係止部６が取り付けられており、係止部６のボタン７を押圧すると、吸込口体を第１延長管１から抜き取ることが出来るようになっている。
【００１７】
接続管部３は、図３に示すように、外周面の口径が左右同一の口径で形成されており、成形時の型抜きの抜き勾配のために、吸込口体側の左端部３Ｂが薄肉であり、第２延長管２側の右端部３Ａが厚肉に形成されている。
【００１８】
接続管部３の外周面には係止凹部４Ａ、４Ｂ、４Ｃ、４Ｄ、４Ｅ、４Ｆが接続管部３の長手方向に並んで配列されている。係止凹部４Ａが最も浅く、４Ｂ、４Ｃ、４Ｄ、４Ｅ、４Ｆにいくにしたがって、抜き勾配の肉厚の面に合わせて、順次深さが深くなるように形成されており、接続管部３と第１延長管１とを挿入したときの重なり部分が短くなるにつれて、係止凸部５と係止凹部４Ａ〜４Ｆとの引き抜き難さが増えるようになっている。接続管部３の左端近傍には掃除機本体の係止穴に差し込むフック部９が突設され、フック部９の近傍の壁部は厚肉に形成され、強度が向上している。
【００１９】
第２延長管２の図示しない右側の先端部には掃除機本体に接続されたホースが着脱可能に接続される。第２延長管２の後端部には接続管部３の先端部３Ａが挿入される。第１延長管１の後端部内面には接続管部３の先端部３Ａを保持する保持筒１０が固着されている。
【００２０】
また、第２延長管２の左端部には、円筒状の係止凸部５を保持する係止部１１が取り付けられている。係止部１１は係止凸部５を上昇させる着脱ボタン１２を備えている。着脱ボタン１２は係止部１１のベース１３に搭載され、係止凸部５に近い下縁部に支点となる一対の凸部１４が突設されている。また、着脱ボタン１２の係止凸部１２近傍には、係止凸部５のフランジ５Ａを持ち上げるための係止片部１５が突設されている。着脱ボタン１２の天井部内面の凸部１２Ａとベース１３の凸部１３Ａとの間には、着脱ボタン１２の後部を上方に弾発付勢するスプリング１６が圧縮して配設され、着脱ボタン１２は、一対の凸部１４とカバー１７の開口部の縁部１８とにより保持されている。
【００２１】
係止凸部５の上端部であってフランジ５Ａとカバー１７の天井部内面との間には、係止凸部５を下方に弾発付勢するスプリング１９が設けられている。係止凸部５の下方にあるベース１３及び保持筒１０には係止凸部１２が進退自在に挿通される開口部が形成されている。カバー１７の後端部はネジ２０により、ベース１３及び保持筒１０とが一体に締結され、カバー１７の前端部は第１延長管１の取付用開口部の溝２１に差し込まれている。２２はシールリング、２３はネジ用の開口部、２４は着脱ボタン１２から加わる力を受けるためのベース１３を支える突起である。
【００２２】
この実施の形態の電気掃除機の延長管によれば，接続管部３を第２延長管２から短く引き延ばしたときには、接続管部３の係止凹部４Ａ、４Ｂに第２延長管２の係止凸部５が浅く係止する。このとき、接続管部３が第１延長管１の内面に保持される領域が長く、がたつきが少ないので、係止凸部５が係止凹部４Ａ或いは４Ｂから外れることがない。
【００２３】
一方、接続管部３を第２延長管２から長く引き延ばしたときには、接続管部３が第２延長管２の内面に保持される領域が短く、がたつきが大きくなる。しかし、接続管部３の係止凹部４Ｅや４Ｆに第２延長管２の係止凸部５が深く係止されるので、係止凸部５が係止凹部４Ｅや４Ｆから外れることがない。
【００２４】
接続管部３の外周面に形成される係止凹部４Ａ〜４Ｆが多数形成されれば、第１延長管１の伸縮調整が多段階に行われ、且つ、第２延長管２が接続管部３を保持する領域の長さが短くなるにつれて、係止凹部４Ａ〜４Ｆに係止凸部５が進入するときの深さが深くなるので、第１延長管１の抜けが防止される。しかも、接続管部３の肉厚は、抜き勾配により、第２延長管２側が厚肉で、吸込口体側が薄肉になるように形成でき、係止凹部４Ａ〜４Ｆの深さを変化させても、接続管部３の剛性を確保できる。
【００２５】
【発明の効果】
本発明の請求項１の電気掃除機の延長管によれば，第１延長管を第２延長管から短く引き延ばしたときには、第１延長管の係止凹部に第２延長管の係止凸部が浅く係止しても、第１延長管が第２延長管の内面に保持される領域が長く、がたつきが少ないので、係止凸部が係止凹部から外れることがない。第１延長管を第２延長管を長く引き延ばしたときには、接続管部が第２延長管の内面に保持される領域が短くなるが、第１延長管の係止凹部に第２延長管の係止凸部が深く係止するので、係止凸部が係止凹部から外れることがない。
【図面の簡単な説明】
【図１】本発明の実施の形態にかかる電気掃除機の延長管の接続部の断面図
【図２】図１の第１延長管、接続管部、第２延長管の接続状態の断面であり、着脱ボタンを押して、係止凸部を係止凹部から引き抜いた状態の断面図
【図３】図１の第１延長管の接続管部の断面図
【符号の説明】
１  第１延長管
２  第２延長管
３  接続管部
４Ａ〜４Ｆ  係止凹部
５  係止凸部
【図１】
0003656786.tif 000002
【図２】
0003656786.tif 000003
【図３】
0003656786.tif 000004